(57)【要約】【課題】高温多湿の空気が接点室に侵入した場合であっても、固定接点への氷の成長を抑制する電磁スイッチを提供する。【解決手段】スタータ用の電磁スイッチ１において、接点室７には、プランジャ３と一体的に移動するロッド１１が移動可能に突き出すとともに、ロッド１１の突出し口７ａを介して接点室７の外と外気の流通が可能になっており、接点室７には、水分を吸収する吸湿剤１５が収容されている。  これにより、接点室７内の湿度を下げることができ、固定接点４への結露水の発生を抑えることができる。  このため、高温多湿の空気が接点室７に侵入した場合であっても、固定接点４への氷の成長を抑制することができる。【選択図】図１
2015115295.tif 000002
【特許請求の範囲】
【請求項１】
コイル（２）、プランジャ（３）、固定接点（４）および可動接点（５）を備え、前記プランジャ（３）と前記可動接点（５）とを一体的に移動可能に設け、前記コイル（２）への通電により前記プランジャ（３）を励磁して移動させることで、前記可動接点（５）を前記固定接点（４）に当接させてモータへの通電をオンするスタータ用の電磁スイッチ（１）において、
前記固定接点（４）および前記可動接点（５）を収容する接点室（７）と、
前記固定接点（４）が接合される頭部（８）および他の電気配線に接続される軸部（９）を有する端子ボルト（１０）とを備え、
前記固定接点（４）と前記頭部（８）との接合構造は前記接点室（７）に収容され、前記軸部(９)は前記接点室（７）の外で前記他の電気配線に接続され、
前記接点室（７）には、前記プランジャ（３）または前記プランジャ（３）と一体的に移動する他部材（１１）が移動可能に突き出すとともに、前記プランジャ（３）または前記他部材（１１）の突出し口（７ａ）を介して前記接点室（７）の外と外気の流通が可能になっており、
さらに、前記接点室（７）には、水分を吸収する吸湿剤（１５）が収容されていることを特徴とする電磁スイッチ（１）。
【請求項２】
請求項１に記載の電磁スイッチ（１）において、
前記吸湿剤（１５）は、前記接点室（７）に露出する樹脂壁（７ｂ）に固定されており、金属部材と接触しないことを特徴とする電磁スイッチ（１）。
【発明の詳細な説明】
【技術分野】
【０００１】
本発明は、スタータ用の電磁スイッチに関する。
【背景技術】
【０００２】
従来から、エンジンルームに収容されて内燃機関を始動するスタータでは、次のような電磁スイッチを備えている（図３参照）。
すなわち、スタータ用の電磁スイッチ１０１は、コイル１０２、プランジャ１０３、固定接点１０４および可動接点１０５を備えるとともに、固定接点１０４および可動接点１０５を収容する接点室１０７を有している。そして、プランジャ１０３と可動接点１０５とを一体的に移動可能に設け、コイル１０２への通電によりプランジャ１０３を励磁して移動させることで、可動接点１０５を固定接点１０４に当接させてモータへの通電をオンするとともに、ピニオン等を移動させてリングギアに噛み合わせる（例えば、特許文献１参照。）。
【０００３】
また、固定接点１０４は端子ボルト１１０の頭部１０８に接合され、頭部１０８と固定接点１０４との接合構造は接点室１０７に収容され、端子ボルト１１０の軸部１０９は、接点室１０７の外部に配置されて他の電気配線に接続される。
ところで、接点室１０７には、プランジャ１０３またはプランジャ１０３と一体的に移動するロッド１１１等の他部材が移動可能に突き出すとともに、その突出し口１０７ａを介して接点室１０７の外と外気の流通が可能になっている。
【０００４】
このため、被水路の走行等によりエンジンルームが高温多湿になると、高温多湿の空気が接点室１０７に侵入する。そして、接点室１０７が高温多湿になった状態から冷えていくと接点室１０７の空気が冷却されて接点室１０７に露出する面に水分が結露し、更に極低温に冷却されると結露した水分が凍結して氷が発生する。
【０００５】
ここで、固定接点１０４は、端子ボルト１１０の頭部１０８に接続され、端子ボルト１１０の軸部１０９が接点室１０７の外部で他の電気配線に接続されることから、固定接点１０４は冷却スピードが他の部材より速くなり結露が集中しやすく、表面に氷が発生しやすい。そして、この固定接点１０４の表面に発生する氷の厚さは接点室１０７の湿度に比例することから、エンジンルームが更に多湿になると氷の厚さは厚くなるものと考えられる。
なお、固定接点１０４の中でも、バッテリに接続する固定接点１０４ａは、特に外気温の影響を受けやすく、他の固定接点１０４ｂよりも結露が集中しやすい。
このため、エンジンルームが更に過酷な条件になり氷の厚さが過大になると、可動接点１０５の当接により氷を割ることができなくなり、可動接点１０５と固定接点１０４との導通が確保できない虞が生じる。そこで、氷の成長を抑制する対策が要望されている。
【先行技術文献】
【特許文献】
【０００６】
【特許文献１】特開２００８−４４１７号公報
【発明の概要】
【発明が解決しようとする課題】
【０００７】
本発明は、上記の問題点を解決するためになされたものであり、その目的は、高温多湿の空気が接点室に侵入した場合であっても、固定接点への氷の成長を抑制することにある。
【課題を解決するための手段】
【０００８】
本願の第１発明によれば、スタータ用の電磁スイッチは、コイル、プランジャ、固定接点および可動接点を備える。そして、プランジャと可動接点とを一体的に移動可能に設け、コイルへの通電によりプランジャを励磁して移動させることで、可動接点を固定接点に当接させてモータへの通電をオンにする。
そして、電磁スイッチは、固定接点および可動接点を収容する接点室と、固定接点が接合される頭部および他の電気配線に接続される軸部を有する端子ボルトとを備える。
【０００９】
また、固定接点と頭部との接合構造は接点室に収容され、軸部は接点室の外で他の電気配線に接続される。
さらに、接点室には、プランジャまたはプランジャと一体的に移動する他部材が移動可能に突き出すとともに、プランジャまたは他部材の突出し口を介して接点室の外と外気の流通が可能になっており、接点室には、水分を吸収する吸湿剤が収容されている。
【００１０】
これにより、接点室内の湿度を下げることができ、固定接点への結露水の発生を抑えることができる。
このため、高温多湿の空気が接点室に侵入した場合であっても、固定接点への氷の成長を抑制することができる。
【００１１】
本願の第２発明によれば、スタータ用の電磁スイッチにおいて、吸湿剤は、接点室に露出する樹脂壁に金属部材と接触しないように固定されている。
これにより、水分を吸収した吸湿剤が金属に接触しないため、金属の錆の発生を抑えることができる。
【図面の簡単な説明】
【００１２】
【図１】電磁スイッチの断面図（実施例）。
【図２】電磁スイッチの要部断面図である（変形例）。
【図３】電磁スイッチの断面図（従来例）。
【発明を実施するための形態】
【００１３】
以下、発明を実施するための形態を実施例に基づいて説明する。
【実施例】
【００１４】
〔実施例１の構成〕
実施例１の電磁スイッチ１の構成を、図１を用いて説明する。
電磁スイッチ１はスタータ用の電磁スイッチであり、コイル２、プランジャ３、固定接点４および可動接点５を備える。そして、プランジャ３と可動接点５とを一体的に移動可能に設け、コイル２への通電によりプランジャ３を励磁して移動させることで、可動接点５を固定接点４に当接させてモータ（図示せず。）への通電をオンにする。
【００１５】
そして、電磁スイッチ１は、固定接点４および可動接点５を収容する樹脂製の接点カバー６により形成される接点室７と、固定接点４が接合される頭部８および他の電気配線（図示せず。）に接続される軸部９を有する端子ボルト１０とを備える。
また、固定接点４と頭部８との接合構造は接点室７に収容され、軸部９は接点室７の外で他の電気配線に接続される。
さらに、接点室７には、プランジャ３と一体的に移動するロッド１１が移動可能に突き出すとともに、ロッド１１の突出し口７ａを介して接点室７の外と外気の流通が可能になっており、接点室７には、水分を吸収する吸湿剤１５が収容されている。
【００１６】
ここで吸湿剤１５は、シリカゲル、ゼオライト等の吸湿性を有する物質を練りこんだシート状の熱可塑性樹脂である。
そして、吸湿剤１５は、接点室７に露出する樹脂壁７ｂに金属部材と接触しないように固定されている。
【００１７】
〔実施例１の効果〕
電磁スイッチ１は、接点室７に、水分を吸収する吸湿剤１５が収容されている。
これにより、接点室７内の湿度を下げることができ、固定接点４への結露水の発生を抑えることができる。
このため、高温多湿の空気が接点室７に侵入した場合であっても、固定接点４への氷の成長を抑制することができる。
【００１８】
また、吸湿剤１５は、接点室７に露出する樹脂壁７ｂに金属部材と接触しないように固定されている。
これにより、水分を吸収した吸湿剤１５が金属に接触しないため、金属の錆の発生を抑えることができる。
なお、吸湿剤１５は、金属部材と接触しないため、可動接点５の移動を妨げることはない。
【００１９】
［変形例］
本発明は、その要旨を逸脱しない範囲で様々な変形例を考えることができる。
実施例１によれば、吸湿剤１５は一層のシートから構成されていたが、複数のシートを積層してもよい。この場合、図２に示すようにそれぞれのシートの幅を異なるものとすることができ、吸湿剤１５に容易に凹凸構造を設けることができ、その表面積を増やすことができ、吸湿効果を高めることができる。
【符号の説明】
【００２０】
１  電磁スイッチ  ２  コイル  ３  プランジャ  ４  固定接点  ５  可動接点
７  接点室  ７ａ  突出し口  ８  頭部  ９  軸部  １１  ロッド（他部材）  
１５  吸湿剤
【図１】
2015115295.tif 000003
【図２】
2015115295.tif 000004
【図３】
2015115295.tif 000005